(57)【要約】      （修正有）【課題】非破壊検査等のＸ線検査で,被検体を走査するためのリニアアレイ検出器（ＬＡＤ）を提供する。【解決手段】ＬＡＤ１６は、被検体を通過した入射Ｘ線ビーム１７の一部を表す複数の光信号を発生するように構成される。シンチレータの平面が前記Ｘ線ビームと平行であるようなシンチレータ層３２と、光変換要素の２次元アレイ３４とを具備している。前記光変換要素の２次元アレイは、前記Ｘ線ビームの複数のＸ線を受け取るように構成され、且つそれらのＸ線に対応する複数の電気信号を発生するように構成され、複数のＸ線経路とは無関係に光変換要素が配列されている。【選択図】図３
2006105982.tif 000002
【特許請求の範囲】
【請求項１】
被検体を走査するためのリニアアレイ検出器（ＬＡＤ）（１６）において、
被検体を通過した入射Ｘ線ビームの一部を表す複数の光信号を発生するように構成され、シンチレータの平面が、前記Ｘ線ビーム（１７）と平行であるようなシンチレータ層（３２）と；
前記Ｘ線ビームの複数のＸ線を受け取るように構成され、且つそれらのＸ線に対応する複数の電気信号を発生するように構成され、複数のＸ線経路（３８）とは無関係に光変換要素（５０）が配列されている光変換要素の２次元アレイ（３４）とを具備するＬＡＤ。
【請求項２】
前記光信号を前記２次元アレイへ搬送するように構成された光搬送手段（３６）を更に具備する請求項１記載のＬＡＤ。
【請求項３】
前記光変換要素は、複数の行及び複数の列を有する直交ジオメトリとして配列される請求項１記載のＬＡＤ。
【請求項４】
前記ＬＡＤは、複数のジオメトリによって走査するように構成される請求項１記載のＬＡＤ。
【請求項５】
任意のジオメトリを有する被検体を走査するシステムにおいて、
シンチレータと、光変換要素の２次元アレイとを具備し、被検体を通過した入射Ｘ線ビームを表す電気信号を発生するように構成された少なくとも１つの検出器と；
前記検出器に結合され、
前記２次元アレイからのＸ線経路ジオメトリを判定するように構成されるプロセッサ（２０）とを具備し、前記Ｘ線経路ジオメトリが少なくとも１つのＸ線経路を含み、前記Ｘ線経路が前記光変換要素のうちの少なくとも１つを通過し、前記プロセッサが少なくとも１つの基準点における撮影に基づいて、前記Ｘ線経路ジオメトリを判定するように構成され、
前記Ｘ線経路の少なくとも１つのセグメントに対して、エネルギー蓄積プロファイルを判定するように構成され、
前記エネルギー蓄積プロファイルを、少なくとも２つの蓄積のセグメントに格納するように構成され、且つ
前記エネルギー蓄積プロファイル及び前記Ｘ線経路に基づいて、前記被検体の画像を生成するように構成されたシステム。
【請求項６】
被検体を検査する検査方法において、
被検体に入射Ｘ線ビームを入射させることと；
シンチレータと、光変換要素の２次元アレイとを具備し、前記シンチレータが前記Ｘ線ビームと平行に整列されるような検出器によって、前記被検体を通過したＸ線ビームを受け取ることと；
少なくとも１つのＸ線経路を含む、前記２次元アレイからのＸ線経路ジオメトリを、少なくとも１つの基準点における撮影を含めて、判定することと；
前記少なくとも１つのＸ線経路の各々の少なくとも１つのセグメントに対して、エネルギー蓄積プロファイルを判定することと；
各々がそれぞれ１つのＸ線エネルギーレベルに対応する少なくとも２つの蓄積のセグメントに、前記エネルギー蓄積プロファイルを格納することと；
前記少なくとも１つのＸ線経路及び前記エネルギー蓄積プロファイルを使用して、前記被検体の画像を生成することとから成る検査方法。
【請求項７】
方法は、材料の非破壊評価（ＮＤＥ）において使用されるのに適合し、材料のＮＤＥは、タービンエーロフォイル及びタービンブレード（９４）の評価、腐食及び介在物の判定、並びにパイプ（７４）内部の異物の検出のうちの少なくとも１つを含む請求項６記載の検査方法。
【請求項８】
方法は、手荷物検査システム（９２）又は貨物検査システムにおいて使用されるのに適合する請求項７記載の検査方法。
【請求項９】
方法は、デジタルＸ線撮影システム又はコンピュータ断層撮影システムにおいて使用されるのに適合する請求項７記載の検査方法。
【請求項１０】
方法は、爆発物検出システムにおいて使用されるのに適合する請求項７記載の検査方法。
【発明の詳細な説明】
【技術分野】
【０００１】
本発明は、一般に、撮影システムに関し、特に、画像を収集する方法及びシステムに関する。
【背景技術】
【０００２】
多くの工業用検査システムは、非常に高い検出効率、優れた信号対雑音性能及び広い有効範囲を必要とする。加えて、工業用システムの総経費は、妥当であることが望ましい。
【０００３】
様々な低エネルギーＸ線検査及び高エネルギーＸ線検査の用途において、リニア検出アレイが使用されてもよい。そのような検出器アレイは、Ｘ線源により放射され、走査されるべき被検体を通過したＸ線を受け取る。一般に、そのようなアレイのジオメトリ構成は固定されているため、通常、アレイの適応能力は制約される。
【０００４】
通常、そのような検出器は、シンチレータ層と光変換装置とを含む。光変換装置は、多数の光センサ要素を有する。光センサ要素は、Ｘ線がたどる１つ以上の所定の経路に基づいて配列される。図１は、従来のＸ線検査システムのブロック図である。Ｘ線源１０は、Ｘ線経路７、８及び９をそれぞれ有するＸ線ビームを発生する。光センサ要素６は、それぞれのＸ線経路に関して整列される。従って、特定のＸ線源‐検出器間距離（ＳＤＤ）に対して、光センサ要素は、それぞれ対応するＸ線経路と焦点を合わせて整列される。
【０００５】
現在のＸ線検査方法は、通常、２回以上の異なる走査を実行することにより、スペクトル従属情報を生成する。各々の走査は、通常は、エネルギー積分検出器と関連して、工業用Ｘ線管の特定の電圧設定によって実現される。別の方法は、同一の又は異なる減衰材料が連続している２つ以上の別個の層を有する検出器を使用する。
【０００６】
多層方式においては、よりエネルギーの低いＸ線は、第１の層で減衰される傾向にあり、エネルギーの高いＸ線は、第２の層まで侵入し、第２の層により減衰される。別の方法は、光子計数検出器を使用する。光子計数検出器は、吸収したエネルギーの振幅スペクトルを生成し、エネルギー分離を提供するために、エネルギーに関して格納可能である。一般にエネルギー識別と呼ばれるこれらの方法は、全て、エネルギー積分検出器により提供される電子密度に関する情報ではなく、材料に特有の成分に関する情報を抽出できる。
【０００７】
被検体の特定の材料を識別し且つ／又は数量化するように、検査システムを構成することが要求される場合もあり、そのような構成は、いくつかの非破壊試験用途及び安全点検用途において、特に有用である。しかし、従来の検査画像データセットは、単一のＸ線源スペクトルとエネルギー積分検出器によって生成されるため、材料密度に関する情報を抽出することしかできない。通常、従来の画像データセットから抽出できる特定の材料の量に関する情報は、ほとんどない。
【特許文献１】特開２００４−１０５７３８号公報
【発明の開示】
【発明が解決しようとする課題】
【０００８】
従って、高いＸ線検出効率、高い空間分解能及び高い特定材料検出能力を維持しつつ、様々なＸ線源‐検出器間距離に対して、様々な任意のジオメトリを走査可能である検出器を設計することが必要とされる。
【課題を解決するための手段】
【０００９】
簡潔に述べると、被検体を走査するためのリニアアレイ検出器（ＬＡＤ）の一実施形態によれば、ＬＡＤは、被検体を通過した入射Ｘ線ビームの一部を表す複数の光信号を発生するように構成されたシンチレータ層を含む。シンチレータの平面は、Ｘ線ビームと平行である。ＬＡＤは、多数のＸ線を受け取り、それらのＸ線に対応する複数の電気信号を発生するように構成された光変換要素の２次元アレイを更に含む。光変換要素の配列は、Ｘ線経路とは無関係である。
【００１０】
別の実施形態においては、任意のジオメトリを有する被検体を走査するシステムが提供される。システムは、被検体を通過した入射Ｘ線ビームを表す複数の電気信号を発生するように構成された少なくとも１つの検出器を含む。検出器は、シンチレータと、光変換要素の２次元アレイとを含む。システムは、検出器に結合されたプロセッサを更に含む。プロセッサは、２次元アレイからのＸ線経路ジオメトリを判定するように構成される。Ｘ線経路ジオメトリは、少なくとも１つのＸ線経路を含み、Ｘ線経路は、光変換要素のうちの少なくとも１つを通過する。プロセッサは、更に、Ｘ線経路の少なくとも１つのセグメントに対して、エネルギー蓄積プロファイルを判定し、エネルギー蓄積プロファイル及びＸ線経路に基づいて、被検体の画像を生成するように構成される。
【００１１】
別の実施形態においては、被検体を検査する方法が提供される。検査方法は、被検体に入射Ｘ線ビームを入射させることと、被検体を通過したＸ線ビームを検出器によって受け取ることとを含む。検出器は、シンチレータと、光変換要素の２次元アレイとを含み、シンチレータは、Ｘ線と平行に整列される。検査方法は、２次元アレイからのＸ線経路ジオメトリを判定することを更に含む。Ｘ線経路ジオメトリは、少なくとも１つのＸ線経路を含む。検査方法は、各々のＸ線経路の少なくとも１つのセグメントに対して、エネルギー蓄積プロファイルを判定することと、Ｘ線経路及びエネルギー蓄積プロファイルを使用して、被検体の画像を生成することとを更に含む。
【００１２】
本発明の上記の特徴、面及び利点、並びにその他の特徴、面及び利点は、添付の図面を参照して、以下の詳細な説明を読むことにより、更に良く理解されるであろう。図面中、全ての図を通して、同じ図中符号は、同じ部分を表す。
【発明を実施するための最良の形態】
【００１３】
図２は、Ｘ線システムであるシステム１０の一実施形態のブロック図である。Ｘ線システム１０は、原画像データを収集すると共に、本発明に従って表示及び解析を実行するために、その画像データを処理するように設計される。あるボリュームに対して、３次元画像データを収集するコンピュータ断層撮影システム及びデジタルＸ線撮影システムなどの他の撮影システムに本発明を適用しても、同様の利点が得られる。以下、Ｘ線システム１０を説明するが、以下の説明は、単に、そのような実現形態の１つの例であるにすぎず、態様に関して本発明を限定する意図は含まれない。
【００１４】
ここで使用される用語「適合する（adapted to）」、「構成される（configured）」などは、明細書中に記載される効果を得るために、システムの要素を協働させるためのシステムにおける装置に関連する。また、それらの用語は、所定の入力信号に応答して出力を提供するようにプログラムされたアナログコンピュータ又はデジタルコンピュータ、あるいは特定用途向け装置（特定用途向け集積回路（ＡＳＩＣ））、増幅器などの電気的要素又は光学的要素の動作能力、並びに構成要素を光学的に又は電気的に一体に結合するための機械装置に関連する。
【００１５】
図２に示されるように、Ｘ線システム１０は、被検体１４を通してＸ線放射を放出するように構成されたＸ線源１３を含む。被検体１４は、タービンブレード、手荷物、パイプを含んでもよく、更に、人体、人体の一部及び動物を含んでもよい。Ｘ線源１３は、高エネルギーＸ線と低エネルギーＸ線の双方を含むＸ線を発生する従来のＸ線管であればよい。通常、Ｘ線の終点エネルギーは、約３０ｋｅＶ〜約１６ＭｅＶまで変化する。Ｘ線は、被検体１４を通過し、被検体により減衰された後、リニアアレイ検出器１６に入射する。リニアアレイ検出器（ＬＡＤ）１６は、以下に図５を参照して更に詳細に説明されるようなシンチレーション利用ＬＡＤである。リニアアレイ検出器は、エネルギー積分モードで動作される複数の個別の光変換要素を有し、ギガヘルツレベルに至るまで、光子計数率を求めるように構成される。
【００１６】
プロセッサ２０は、リニアアレイ検出器１６からの信号を受信する。プロセッサ２０は、走査されるべき被検体に対応する画像を生成するように構成される。プロセッサは、Ｘ線経路ジオメトリを判定し、且つ各々のＸ線経路の少なくとも１つのセグメントに対して、エネルギー蓄積プロファイルを判定するように構成される。更に、プロセッサは、エネルギー蓄積プロファイル及びＸ線経路に基づいて、被検体の画像を生成するように構成される。ある特定の用途に対して、例えば、被検体の特定の大きさ及び種類、並びに特定のＸ線源エネルギーに対して、データ収集後方式で、Ｘ線経路ジオメトリに対する画質及び特定材料検出能力の従属性をサーチすることにより、エネルギー蓄積の最適のセグメントを判定できる。Ｘ線経路ジオメトリ及びエネルギー蓄積プロファイルに基づいて、画像を生成する方法に関しては、図４を参照して後に更に詳細に説明する。
【００１７】
図２の実施形態の場合、オペレータコンソール２６を使用して、オペレータが生成画像を検討できるように、コンピュータ２４は、プロセッサ２０と通信する。オペレータは、表示装置２８で画像を見てもよい。生成画像は、ハードドライブ、フロッピー（商標）ディスク、コンパクトディスクなどを含む記憶装置３０に格納されてもよい。オペレータは、Ｘ線源コントローラ２２に指令及び命令を提供するために、コンピュータ２４を使用してもよい。Ｘ線源コントローラ２２は、Ｘ線源１３に電力及びタイミング信号を供給する。
【００１８】
Ｘ線システムは、デジタルＸ線撮影システム又はコンピュータ断層撮影システムにおいて、材料識別、爆発物検出、手荷物走査及び非破壊検査の方法などの様々な非破壊検査用途に使用可能である。例えば、タービンブレードの金属構造又はセラミックコアの腐食を判定するために、システムを使用できる。更に、例えば、水、油又はガスを搬送するパイプの内部の異物を検出するために、システムが使用されてもよい。
【００１９】
例えば、図２に示されるように、リニアアレイ検出器（ＬＡＤ）１６は、様々に異なる強さのＸ線を受け取るように構成される。図３は、リニアアレイ検出器１６の一実施形態を示す側面図である。以下に、各構成要素を更に詳細に説明する。
【００２０】
ＬＡＤ１６は、被検体１４を通過した入射Ｘ線ビーム１７の一部を表す複数の光信号を発生するように構成されたシンチレータ層３２を含む。高分解能撮影に適用される場合、エリアシンチレータの厚さは、約５０μ〜約１，０００μの範囲である。中程度の分解能の撮影に適用される場合には、エリアシンチレータの厚さは、約１ｍｍ〜約５ｃｍの範囲である。シンチレータの例には、ヨウ化セシウム（繊維状にされた固体）、オキシ硫化ガドリウム及びタングステン酸カドミウムなどがある。シンチレータのボリュームは、入射Ｘ線ビームを受け取る。
【００２１】
ＬＡＤは、シンチレータ層に結合された２次元アレイ３４を更に含む。２次元アレイは、光信号を対応する電気信号に変換するように構成される。電気信号は、パルス信号を含んでもよい。各パルス信号は、シンチレータに蓄積したエネルギーの一部を表す。
【００２２】
２次元アレイは、以下に図５で更に詳細に説明されるような複数の光変換要素を含む。一実施形態においては、２次元アレイは、アモルファスシリコンフラットパネルを具備する。図３からわかるように、シンチレータ層の平面は、Ｘ線ビーム１７と平行である。
【００２３】
図４は、ＬＡＤ１６の別の実施形態の側面図である。この実施形態のＬＡＤは、シンチレータ層３２と２次元アレイ３４との間に配置された光搬送手段３６を更に含む。光搬送手段は、光信号を光変換要素の２次元アレイへ効率よく搬送するように構成される。光搬送手段の一例は、光ファイバ層、例えば、光ファイバ板である。光搬送手段の他の例には、テーパ形状のライトパイプ、並びに通常はレンズ及び反射鏡によって、光を光変換装置の領域へ集束し、誘導する光学系などがある。図４からわかるように、シンチレータ層の平面は、Ｘ線ビーム１７と平行である。
【００２４】
図５は、２次元アレイ３４の一実施形態の概略平面図である。シンチレータ層（図５には示されない）は、被検体を通過したＸ線ビーム１７を複数の光信号に変換するが、ある特定のＸ線がたどる経路を、ここでは、Ｘ線経路という。特定のＸ線経路に沿ってＸ線の減衰により発生され、２次元アレイへ伝送される光は、その特定のＸ線経路と関連する信号を発生させる。図５は、そのようなＸ線経路を３本示し、それらの経路は、それぞれ、図中符号３８、４０及び４２により示される。２次元アレイは、Ｘ線経路３８、４０及び４２の光信号を、図中符号４４、４６及び４８によりそれぞれ表される電気信号に変換する。
【００２５】
２次元アレイ３４は、光信号を対応する電気信号に変換するように構成された多数の光変換要素を含む。一実施形態においては、光変換要素は、フォトダイオードである。図５では、Ｘ線経路のうちの１つと整列する光センサが、図中符号５０により示される。Ｘ線経路のうちの１つと整列されない光センサは、図中符号５２、５６及び５８により表される。
【００２６】
図５からわかるように、光変換要素の配列は、Ｘ線経路とは無関係であり、規則的な配列又は不規則な配列のいずれであってもよい。従って、別の被検体を走査する場合には、Ｘ線経路が光変換要素５２、５６及び５８と整列されることもある。光変換要素の配列は、Ｘ線経路に従属しないため、リニアアレイ検出器は、複数のジオメトリを走査できる。
【００２７】
図示される実施形態においては、光変換要素は、直交格子パターンの形で配列される。５０及び５２などの２つの光変換要素が成す角度は、９０°である。ＬＡＤの別の実施形態では、２つの光変換要素が成す角度は、９０°以外の角度であってもよい。以上説明したようなＬＡＤは、エネルギー積分デジタルＸ線撮影システム及びエネルギー積分コンピュータ断層撮影システムなどの様々なシステムにおいて使用されてもよい。
【００２８】
図６は、リニアアレイ検出器を使用して被検体を撮影できる検査方法の１つを示すフローチャートである。ステップ６２で、Ｘ線源を使用して、Ｘ線ビームが被検体に入射される。ステップ６４で、被検体を通過したＸ線ビームは、リニアアレイ検出器（ＬＡＤ）により受け取られる。一実施形態においては、ＬＡＤ検出器は、シンチレータ層と、光変換要素の２次元アレイとを含む。
【００２９】
ステップ６６で、プロセッサにより、２次元アレイからのＸ線経路ジオメトリが判定される。Ｘ線経路ジオメトリは、少なくとも１つのＸ線経路を含む。Ｘ線経路は、２次元アレイの少なくとも１つの光変換要素を通る。Ｘ線経路は、シンチレータ層への入射Ｘ線ビーム、シンチレータ層において使用されるシンチレータ材料の組成及び深さ、並びに記録される画像の画素ピッチにより確定される粒状度を有する対応するエネルギー蓄積プロファイルを有する。
【００３０】
一実施形態においては、Ｘ線経路ジオメトリは、少なくとも１つの基準点を撮影することにより判定される。一実施形態では、基準点は、撮影視野１５の中に、既知の配列で複数のタングステンピンを配置することにより撮影される。基準点を撮影することにより、特定のＸ線源‐検出器間距離（ＳＤＤ）に対して、Ｘ線経路ジオメトリを、光変換要素の規則的な又は不規則な配列の格子により記録されるエネルギー蓄積プロファイルにマッピングすることが容易になる。
【００３１】
ステップ６８で、各々のＸ線経路の少なくとも１つのセグメントに対して、エネルギー蓄積プロファイルが判定される。別の実施形態においては、エネルギー蓄積プロファイルは、少なくとも２つの蓄積のセグメントに格納される。各蓄積のセグメントは、第１に特定のＸ線エネルギー又は特定のエネルギー範囲（例えば、多色Ｘ線スペクトルにおいては相対的に低いエネルギー又は高いエネルギー）と関連するエネルギー蓄積に対応する。
【００３２】
更に特定された実施形態においては、エネルギー蓄積プロファイルは、第１の蓄積のセグメントと第２の蓄積のセグメントに格納される。第１のセグメントは、低エネルギーＸ線に対応し、第２のセグメントは、高エネルギーＸ線に対応する。セグメントは、連続する蓄積のセグメントであってもよいし、あるいは不連続の蓄積のセグメントであってもよい。
【００３３】
ステップ６０で、Ｘ線経路及びエネルギー蓄積プロファイルを使用して、被検体の画像が生成される。一実施形態においては、特定の材料の検出能力を向上するために、高エネルギーＸ線及び低エネルギーＸ線に対応するエネルギー蓄積プロファイルを使用することにより、被検体１４の様々に異なる成分の画像が更に処理される。
【００３４】
図１を参照して前述したように、本発明の方法は、デジタルＸ線撮影システム及びコンピュータ断層撮影システムで使用されてもよい。更に、方法は、材料の非破壊評価（ＮＤＥ）において使用するのにも適する。そのような用途の一例は、タービンエーロフォイル及びタービンブレードのＮＤＥである。図７は、本発明の１つの面に従ってパイプを検査する方法の１つを示すブロック図である。
【００３５】
材料の非破壊評価は、パイプの亀裂、腐食及び内部の異物の検査に使用されてもよい。図７は、パイプ７４の亀裂を検出するために使用されるＣアームコンピュータ断層撮影（ＣＴ）システム７２の一例のブロック図である。ＣＴシステムは、トロリー７８に装着され、パイプの長さに沿って亀裂を検出できるように、Ｘ線は、Ｘ線源７６からパイプを通して放射される。図６を参照して説明した方法を使用することにより、亀裂が検出されてもよい。別の実施形態においては、図７に示されるＣＴシステムは、パイプ内部の異物を検出するために使用されてもよい。更に特定された実施形態においては、ＣＴシステムは、水、ガス又は油を搬送するパイプの内部の異物を検出するために使用されてもよい。
【００３６】
材料の非破壊評価は、手荷物の検査に使用されてもよい。図８は、手荷物８９の中の爆発物又は他の物体を検出するために使用される手荷物走査システム８０の一例のブロック図である。手荷物は、トロリー８４上に載せられ、Ｘ線は、Ｘ線源８２から手荷物を通して放射される。図２及び図３を参照して説明したように実現される検出器１６は、Ｘ線ビームを受け取る。プロセッサ８６は、図６を参照して説明した方法を使用して、手荷物の中の爆発物及び他の物体を検出する。手荷物走査システムを使用し、表示装置８８を介して、ユーザに対し、手荷物の中身が表示されてもよい。貨物の中の爆発物及び輸出入禁止品を検出するために、同様の方法が使用されることも可能である。
【００３７】
ＮＤＥは、タービンブレードの評価に使用されてもよい。図９は、タービンブレードの欠陥を検査するために使用されるタービン点検システム９０の一例のブロック図である。欠陥の一例は、タービンブレードに残留したコアの存在である。タービンブレードは、支持台９６の上に載せられ、Ｘ線源９２から、タービンブレードを通して、Ｘ線が放射される。図２及び図３を参照して説明したように実現された検出器１６は、Ｘ線ビームを受け取る。プロセッサ９８は、図６を参照して説明した方法を使用して、タービンブレードの欠陥を検出する。
【００３８】
以上説明した発明は、いくつかの利点を有する。利点は、特定の検出器視野によって被検体を走査するのに最適である任意のＸ線源‐検出器間距離で被検体を走査するように、リニアアレイ検出器（ＬＡＤ）を構成できることにより、初期走査ジオメトリの適応性が優れていることを含む。データ収集後プロセスにおいてエネルギー蓄積プロファイルを処理するため、約１ｃｍ〜約１，２００ｃｍに至る広い範囲のどのような距離でも、利用できる。
【００３９】
更に、Ｘ線経路の確定は正確であり、被検体の中心線に関して、検出器を物理的に精密に整列させる必要はない。それは、基準点の撮影により幾何学的校正が行われるため、Ｘ線経路ジオメトリに関する検出器の特定の向きとは関係なく、Ｘ線経路のジオメトリが確定されるからである。
【００４０】
リニアアレイが適切な厚さで使用される場合、限定された厚さのシンチレータの固体シート又は層、あるいは繊維状シンチレータの使用により、空間分解能が得られる。また、リニアアレイ検出器は、エリアシンチレータの深さが拡大されることによって、広範囲にわたるＸ線源エネルギーに対して、高い検出効率を示す。
【００４１】
更に、１回の走査中に検出器に入射するスペクトルを、低エネルギーＸ線及び高エネルギーＸ線の減衰とそれぞれ関連する領域に分離できるので、その結果、異なるＸ線スペクトルによる２回目の走査を実行する必要がなくなるため、リニアアレイ検出器は、エネルギー識別検出器として、高い効率を有する。
【００４２】
リニアアレイ検出器は、事象の減衰を、所定のＸ線経路に沿った深さ、低エネルギーＸ線の減衰の対応する分離及び高エネルギーＸ線の減衰の対応する分離の関数として分離できる。これにより、ソフトウェアを使用して、エネルギー判別感度の動的な後処理が最適化される。これは、データ処理ステップとして達成される。
【００４３】
リニアアレイ検出器は、精度の高い信号となる相対的に高いＸ線計数率（１ＧＨより大きい）を求めるように構成される。また、リニアアレイ検出器は、各種撮影システムに、容易に組み込むことができる。
【００４４】
本発明のいくつかの特徴のみが図示及び説明されたが、多くの変形及び変更が、当業者には理解されるであろう。なお、特許請求の範囲に記載された符号は、理解容易のためであってなんら発明の技術的範囲を実施例に限縮するものではない。
【図面の簡単な説明】
【００４５】
【図１】従来のＸ線検査システムの一例のブロック図である。
【図２】本発明の１つの面に従って実現された画像を生成するためのデジタルＸ線撮影システムのブロック図である。
【図３】リニアアレイ検出器の一実施形態の側面図である。
【図４】リニアアレイ検出器の別の実施形態の側面図である。
【図５】光センサ要素の２次元アレイの一実施形態の概略図である。
【図６】リニアアレイ検出器を使用して被検体を撮影できる方法の１つを示したフローチャートである。
【図７】パイプを検査するように構成されたコンピュータ断層撮影システムの一実施形態である。
【図８】手荷物又は貨物走査システムの一実施形態を示したブロック図である。
【図９】タービンブレード点検システムの一実施形態を示したブロック図である。
【符号の説明】
【００４６】
１０…Ｘ線システム、１３…Ｘ線源、１４…被検体、１６…リニアアレイ検出器（ＬＡＤ）、１７…Ｘ線ビーム、２０…プロセッサ、２２…Ｘ線源コントローラ、２４…コンピュータ、２６…オペレータコンソール、２８…表示装置、３０…記憶装置、３２…シンチレータ層、３４…２次元アレイ、３６…光搬送手段、３８、４０、４２…Ｘ線経路、５０、５２、５６、５８…光変換要素（光センサ）、７２…Ｃアームコンピュータ断層撮影システム、７４…パイプ、７６…Ｘ線源、８０…手荷物検査システム、８２…Ｘ線源、８６…プロセッサ、８９…手荷物、９０…タービン点検システム、９２…Ｘ線源、９４…タービンブレード、９８…プロセッサ
【図１】
2006105982.tif 000003
【図２】
2006105982.tif 000004
【図３】
2006105982.tif 000005
【図４】
2006105982.tif 000006
【図５】
2006105982.tif 000007
【図６】
2006105982.tif 000008
【図７】
2006105982.tif 000009
【図８】
2006105982.tif 000010
【図９】
2006105982.tif 000011